(57)【特許請求の範囲】
【請求項１】
筐体内に実装された信号処理部であって且つ入力された信号に対する波形整形処理を行う波形整形部を備える信号処理部を制御する制御装置であって、
(i)前記筐体内における前記信号処理部の実装状態を示す実装情報及び(ii)前記信号処理部の温度である処理部温度を示す温度情報の少なくとも一つ、並びに(iii)前記信号処理部に固有の特性を示す処理部特性情報を取得する取得手段と、
前記取得手段により取得された前記実装情報及び前記温度情報の少なくとも一つ並びに前記処理部特性情報に基づいて、前記波形整形部における波形整形特性を調整する調整手段と
を備えることを特徴とする制御装置。
【請求項２】
前記取得手段は、(i)前記実装情報及び前記処理部特性情報を取得すると共に、(ii)取得した前記実装情報及び前記処理部特性情報に基づいて前記処理部温度を算出することで前記温度情報を取得し、
前記調整手段は、前記温度情報及び前記処理部特性情報に基づいて前記波形整形特性を調整することを特徴とする請求項１に記載の制御装置。
【請求項３】
前記筐体周辺又は前記筐体内部の環境温度を測定する測定手段を更に備え、
前記取得手段は、前記環境温度に対して前記実装情報及び前記処理部特性情報に応じた温度変動分を加味することで前記処理部温度を算出することを特徴とする請求項２に記載の制御装置。
【請求項４】
前記取得手段は、前記信号処理部の経年劣化の度合いを示す経年情報を更に取得し、
前記調整手段は、前記実装情報、前記温度情報、及び前記経年情報の少なくとも一つ並びに前記処理部特性情報に基づいて、前記波形整形特性を調整することを特徴とする請求項１に記載の制御装置。
【請求項５】
前記筐体は、前記信号処理部から信号が供給される伝送路を内部に備えており、
前記取得手段は、前記伝送路に固有の特性を示す伝送路特性情報を更に取得し、
前記調整手段は、前記実装情報、前記温度情報、及び前記伝送路情報の少なくとも一つ並びに前記処理部特性情報に基づいて、前記波形整形特性を調整することを特徴とする請求項１に記載の制御装置。
【請求項６】
前記処理部特性情報は、前記信号処理部内部に予め格納されており、
前記取得手段は、予め格納された前記処理部特性情報を取得することを特徴とする請求項１に記載の制御装置。
【請求項７】
前記信号処理部は、当該信号処理部自身の特性を測定する測定部を更に備えており、
前記取得手段は、前記測定部により測定された特性を取得することで、前記処理部特性情報を取得し、
前記調整手段は、前記処理部特性情報に基づいて、前記波形整形特性を調整することを特徴とする請求項１に記載の制御装置。
【請求項８】
前記筐体内には、少なくとも２つの前記信号処理部が実装されており、
前記少なくとも２つの信号処理部の一方は、前記少なくとも２つの信号処理部の他方に対して前記信号を送信し、
前記調整手段は、前記波形整形特性を調整するための調整情報を前記信号処理部に対して出力することで前記波形整形特性を調整し、
前記少なくとも２つの信号処理部は、互いに同期するタイミングで、前記調整情報を前記波形整形部に対して適用することを特徴とする請求項１に記載の制御装置。
【請求項９】
前記筐体内には、少なくとも２つの前記信号処理部が実装されており、
前記少なくとも２つの信号処理部の一方は、前記少なくとも２つの信号処理部の他方に対して前記信号を送信し、
前記調整手段は、前記波形整形特性を設定するための調整情報を前記信号処理部に対して出力することで前記波形整形特性を調整し、
前記調整手段は、前記調整情報を前記波形整形部に対して適用するタイミングを示すタイミング情報を前記少なくとも２つの信号処理部に出力し、
前記少なくとも２つの信号処理部は、前記タイミング情報が示すタイミングで、前記調整情報を前記波形整形部に対して適用することを特徴とする請求項１に記載の制御装置。
【請求項１０】
筐体内に実装された信号処理部であって且つ入力された信号に対する波形整形処理を行う波形整形部を備える信号処理部を制御する制御方法であって、
(i)前記筐体内における前記信号処理部の実装状態を示す実装情報及び(ii)前記信号処理部の温度である処理部温度を示す温度情報の少なくとも一つ、並びに(iii)前記信号処理部に固有の特性を示す処理部特性情報を取得する取得工程と、
前記取得工程において取得された前記実装情報及び前記温度情報の少なくとも一つ並びに前記処理部特性情報に基づいて、前記波形整形部における波形整形特性を調整する調整工程と
を備えることを特徴とする制御方法。
【請求項１１】
筐体と、
前記筐体内に実装された信号処理部であって且つ入力された信号に対する波形整形処理を行う波形整形部を備える信号処理部と、
(i)前記筐体内における前記信号処理部の実装状態を示す実装情報及び(ii)前記信号処理部の温度である処理部温度を示す温度情報の少なくとも一つ、並びに(iii)前記信号処理部に固有の特性を示す処理部特性情報を取得する取得手段、並びに前記取得手段により取得された前記実装情報及び前記温度情報の少なくとも一つ並びに前記処理部特性情報に基づいて、前記波形整形部における波形整形特性を調整する調整手段を備える制御装置と
を備えることを特徴とする信号処理装置。
【発明の詳細な説明】
【技術分野】
【０００１】
本発明は、例えば信号の送受信処理等の信号処理を行う信号処理部の動作を制御する制御装置及び方法、並びに信号処理部と制御装置とを備える信号処理装置に関する。
【背景技術】
【０００２】
伝送装置や交換機などの通信用の通信装置として、金属製シェルフ（つまり、筐体）の背面に搭載したバックワイヤリングボード（ＢＷＢ：Back Wiring Board）に、電子回路パッケージ等の信号処理回路を有する複数のプリント基板ユニット（以下、「プラグインユニット（ＰＩＵ：Plug In Unit）」という）が実装されたブックシェルフ型の通信装置が使用されている。
【０００３】
近年では、より多くの数のプラグインユニットを１台の通信装置に実装することが要求されている。これに伴い、バックワイヤリングボード上における信号の伝送に対して、長距離化や高速化（言い換えれば、伝送性能の向上）が要求されている。伝送性能の向上のための対応策の一例として、信号の送受信を行う際に用いられるＳｅｒｄｅｓ（Serializer / De-Sirializer）回路を備えるプラグインユニットに対して、信号の送信側で実行されるＦＦＥ（Feed Forward Equalizer）機能や信号の受信側で実行されるＤＦＥ（Decision Feedback Equalizer）機能等の波形整形機能を実装する対応策が提案されている。
【先行技術文献】
【特許文献】
【０００４】
【特許文献１】特開２００１−２６８９７８号公報
【発明の概要】
【発明が解決しようとする課題】
【０００５】
信号の送信側で実行されるＦＦＥ機能における波形整形特性（例えば、イコライザ設定値）と信号の受信側で実行されるＤＦＥ機能に対する波形整形特性との組み合わせの種類は、プラグインユニットの使用環境に応じて数万通りにも及びかねない。このとき、ＦＦＥ機能又はＤＦＥ機能が実現している実際の波形整形特性が適切な若しくは最適な波形整形特性からずれてしまうと、波形歪みやジッタ成分の増加ないしは信号成分の埋もれこみを引き起こし易くなるという技術的な問題点が生じ得る。この問題点は、信号の伝送速度が高速になるほど顕著になる。従って、ＦＦＥ機能やＤＦＥ機能をプラグインユニットに実装する場合には、正常な又は最適な通信を行うことができるように適切に波形整形特性を決定することが好ましい。
【０００６】
一方で、プラグインユニットの個体バラツキやプラグインユニットの温度やプラグインユニットの実装状態などの使用環境は、通信装置の使用に伴って逐次変化し得る。しかしながら、使用環境の逐次の変化に応じた波形整形特性の決定を行っていないのが現状である。このため、波形整形特性の決定当初には最適な波形整形特性であったにも関わらず、その後の使用環境の変化によっては適切に信号を伝送することができなくなるという技術的な問題点が発生しかねない。
【０００７】
上述した問題点は、通信装置に限らず、任意の信号処理を行う信号処理装置（例えば、ある信号処理部で所定の信号処理を行った信号を、バックワイヤリングボードを介して他の信号処理部へ伝送する信号処理装置）においてもが発生し得る。
【０００８】
本発明が解決しようとする課題には上記のようなものが一例として挙げられる。本発明は、例えば信号処理部が備える波形整形機能に対して、使用環境の変化に応じて適切な設定を行うことが可能な制御装置及び方法、並びに信号処理装置を提供することを目的とする。
【課題を解決するための手段】
【０００９】
上記課題は、取得手段と調整手段とを備える制御装置によって解決され得る。制御装置は、筐体内に実装された信号処理部を制御する。信号処理部は、信号処理部に入力された信号に対する波形整形処理を行う波形整形部を備える。取得手段は、(i)筐体内における信号処理部の実装状態を示す実装情報、(ii)信号処理部の温度である処理部温度を示す温度情報、及び(iii)信号処理部に固有の特性を示す処理部特性情報の少なくとも一つを取得する。取得手段が実装情報、温度情報及び処理部特性情報の少なくとも一つを取得する態様は任意でよく、他の手段から供給される実装情報、温度情報又は処理部特性情報を取得してもよいし、取得手段自身が行う演算動作によって実装情報、温度情報又は処理部特性情報を取得（つまり、算出）してもよいし、制御装置内部に格納された実装情報、温度情報又は処理部特性情報を取得してもよい。調整手段は、取得手段により取得された実装情報、温度情報及び処理部特性情報の少なくとも一つに基づいて、波形整形部における波形整形特性を調整する。
【００１０】
上記課題は、取得工程と調整工程とを備える制御方法によって解決される。取得工程では、上述した取得手段が行う動作と同様の動作が行われる。調整工程では、上述した調整手段が行う動作と同様の動作が行われる。
【００１１】
上記課題は、筐体と上述した信号処理部と上述した制御装置とを備える信号処理装置によって解決され得る。
【発明の効果】
【００１２】
以上説明した伝送装置によれば、実装情報、温度情報及び処理部特性情報の少なくとも一つに基づいて、波形整形部における波形整形特性を調整することができる。従って、制御装置は、使用環境の変化（例えば、信号処理部の実装状態の変化や、信号処理部の処理部温度の変化や、これらの変化に影響を与え得る信号処理部の特性等）に応じて波形整形特性を適切に調整することができる。
【００１３】
以上説明した制御方法及び信号処理装置によれば、上述した制御装置が享受する効果と同様の効果を享受することができる。
【図面の簡単な説明】
【００１４】
【図１】本実施形態の通信装置の構成の一例を示すブロック図である。
【図２】本実施形態の通信装置の筐体の外観を示す模式図である。
【図３】ＰＶＴ情報の一例を示すグラフである。
【図４】本実施形態の通信装置１が備える装置制御カードユニットの構成の一例を示すブロック図である。
【図５】本実施形態の通信装置の処理の流れを示すフローチャートである。
【図６】デバイス温度の算出方法をデバイス温度算出用データベースと対応付けて示す説明図である。
【図７】イコライザ設定値の算出方法をイコライザ設定値算出用データベース４２２と対応付けて示す説明図である。
【図８】第１変形例の通信装置の構成の一部を示すブロック図である。
【図９】第２変形例の通信装置の構成の一部を示すブロック図である。
【図１０】第３変形例の通信装置の構成の一部を示すブロック図である。
【発明を実施するための最良の形態】
【００１５】
以下、本発明の実施形態を、図面に基づいて説明する。以下の実施形態では、「信号処理部」及び「信号処理装置」の一例として、バックワイヤリングボードを介して信号の送受信を行う「プラグインカードユニット」及び当該プラグインカードユニットが複数実装される「通信装置」について説明する。但し、通信装置に限らず、内部の伝送路を介して２つの信号処理部が信号を互いに送受信する任意の信号処理装置に対して、以下に説明する構成を適用してもよい。
【００１６】
（１）通信装置の構成
図１及び図２を参照して、本実施形態の通信装置１の構成について説明する。図１は、本実施形態の通信装置１の構成の一例を示すブロック図である。図２は、本実施形態の通信装置１の筐体７０の外観を示す模式図である。
【００１７】
図１に示すように、本実施形態の通信装置１は、「信号処理部」の一例に相当する複数の送信用プラグインカードユニット１０（以降、“送信ユニット１０”と称する）と、「信号処理部」の一例に相当する複数の受信用プラグインカードユニット２０（以降、“受信ユニット２０”と称する）と、「信号処理部」の一例に相当するスイッチユニット３０と、「制御装置」の一例に相当する装置制御カードユニット４０（以降、“制御ユニット４０”と称する）と、「測定手段」の一例に相当する温度監視部５０と、「伝送路」の一例に相当するバックワイヤリングボード６０とを備えている。複数の送信ユニット１０及び複数の受信ユニット２０の夫々は、図２に示すように、通信装置１の筐体７０が備える複数のスロット７１（具体的には、スロット＃１からスロット＃２４）に対して実装される。スイッチユニット３０は、図２に示すように、通信装置１の筐体７０が備えるスイッチ用スロット７２に対して実装される。図２では、通信装置１の外部に敷設されている不図示の現用回線及び予備回線と通信装置１とが接続されていると共に、現用回線に対する信号の送受信を制御するスイッチユニット３０を実装するスイッチ用スロット７２及び予備回線に対する信号の送受信を制御するスイッチユニット３０を実装するスイッチ用スロット７２を備える例を示している。制御ユニット４０は、図２に示すように、通信装置１の筐体７０が備える制御系スロット７３に対して実装される。
【００１８】
複数の送信ユニット１０の夫々は、バックワイヤリングボード６０に対して、コネクタ６１を介して接続されている。複数の送信ユニット１０の夫々は、ＳＥＲＤＥＳ送信器１１と、ＰＶＴ（Process Voltage Temperature）情報格納部１２と、エイジングカウンタ１３と、カード制御部１４とを備えている。
【００１９】
ＳＥＲＤＥＳ送信器１１は、バックワイヤリングボード６０（例えば、その内部のデータバス）を介して、受信ユニット２０やスイッチユニット３０に対して信号を送信する。本実施形態では、ＳＥＲＤＥＳ送信器１１は、ＳＥＲＤＥＳ送信器１１から送信される信号の波形を整形するためのＦＦＥ（Feed Forward Equalizer：フィードフォワードイコライザ）１５を備えている。ＦＦＥ１５のイコライザ設定値は、制御ユニット４０により設定される。ＦＦＥ１５は、「波形整形部」の一例に相当する。
【００２０】
ＰＶＴ情報格納部１２は、送信ユニット１０に固有の特性を示すＰＶＴ情報を格納する。例えば、ＰＶＴ情報格納部１２には、送信ユニット１０が製造された時点で、送信ユニット１０の製造者等によって生成される又は用意されるＰＶＴ情報が予め格納される。ＰＶＴ情報に代えて、送信ユニット１０に固有の特性を示す任意の情報を用いてもよい。
【００２１】
ここで、図３を参照して、ＰＶＴ情報について説明する。図３は、ＰＶＴ情報の一例を示すグラフである。図３に示すように、ＰＶＴ情報は、例えば、送信ユニット１０（或いは、後述する受信ユニット２０又はスイッチユニット３０）の動作速度（Process）と消費電力（Voltage）とを対応付けたグラフないしは関数等であってもよい。或いは、ＰＶＴ情報は、送信用ユニット１０（或いは、後述する受信ユニット２０又はスイッチユニット３０）の動作速度（Process）、消費電力（Voltage）及び使用温度（Temperature）のうちの少なくとも２つを対応付けたグラフないしは関数等であってもよい。
【００２２】
再び図１において、エイジングカウンタ１３は、送信ユニット１０が使用されている間、カウンタ値をカウントする。言い換えれば、エイジングカウンタ１３は、送信ユニット１０が使用されていない間は、カウンタ値をカウントしない。つまり、エイジングカウンタ１３は、送信ユニット１０の経年劣化の度合いを示すエイジング情報（本実施形態では、カウント値）を生成する。尚、エイジング情報がカウント値に限定されることはなく、送信ユニット１０の経年劣化の度合いを示す任意の情報をエイジング情報として用いてもよい。
【００２３】
カード制御部１４は、送信ユニット１０の動作を制御する。カード制御部１４は、バックワイヤリングボード６０（例えば、その内部の制御バス６２）を介して、受信ユニット２０やスイッチユニット３０や制御ユニット４０に対して各種制御情報を送信することができる。本実施形態では、制御情報として、ＰＶＴ情報格納部１２が格納するＰＶＴ情報や、エイジングカウンタ１３がカウントするエイジング情報が一例としてあげられる。カード制御部１４は、送信ユニット１０の筐体７０への実装に同期して、送信ユニット１０の実装状態を示す実装情報を生成する。カード制御部１４は、生成した実装情報を、バックワイヤリングボード６０（例えば、その内部の制御バス６２）を介して、制御情報として受信ユニット２０やスイッチユニット３０や制御ユニット４０に対して送信する。実装情報は、例えば、送信ユニット１０のカードタイプや、送信ユニット１０が実装されたスロット位置や、送信ユニット１０の周囲に実装されている他のユニットのカードタイプ及びスロット位置等を示す。
【００２４】
複数の受信ユニット２０の夫々は、バックワイヤリングボード６０に対して、コネクタ６１を介して接続されている。複数の受信ユニット２０の夫々は、ＳＥＲＤＥＳ受信器２１と、ＰＶＴ情報格納部２２と、エイジングカウンタ２３と、カード制御部２４とを備えている。
【００２５】
ＳＥＲＤＥＳ受信器２１は、バックワイヤリングボード６０（例えば、その内部のデータバス）を介して、送信ユニット１０やスイッチユニット３０から送信される信号を受信する。本実施形態では、ＳＥＲＤＥＳ受信器２１は、当該ＳＥＲＤＥＳ受信器２１により受信される信号の波形を整形するためのＤＦＥ（Decision Feedback Equalizer：デシジョンフィードバックイコライザ）２５を備えている。ＤＦＥ２５のイコライザ設定値は、制御ユニット４０により設定される。ＤＦＥ２５は、「波形整形部」の一例に相当する。
【００２６】
ＰＶＴ情報格納部２２は、上述したＰＶＴ情報格納部１２と同様の構成を有している。具体的には、ＰＶＴ情報格納部２２は、受信ユニット２０に固有の特性を示すＰＶＴ情報を格納する。
【００２７】
エイジングカウンタ２３は、上述したエイジングカウンタ１３と同様の構成を有している。具体的には、エイジングカウンタ２３は、受信ユニット２０の経年劣化の度合いを示すエイジング情報（本実施形態では、カウント値）を生成する。
【００２８】
カード制御部２４は、上述したカード制御部１４と同様の構成を有している。具体的には、カード制御部２４は、受信ユニット２０の動作を制御する。カード制御部２４は、バックワイヤリングボード６０（例えば、その内部の制御バス６２）を介して、送信ユニット１０やスイッチユニット３０や制御ユニット４０に対して各種制御情報を送信することができる。制御情報として、ＰＶＴ情報格納部２２が格納するＰＶＴ情報や、エイジングカウンタ２３がカウントするエイジング情報や、受信ユニット２０の実装状態を示す実装情報が一例としてあげられる。
【００２９】
スイッチユニット３０は、バックワイヤリングボード６０に対して、コネクタ６１を介して接続されている。また、スイッチユニット３０は、上述した複数の受信ユニット２０に対応する複数のＳＥＲＤＥＳ送信器１１と、上述した複数の送信ユニット１０に対応する複数のＳＥＲＤＥＳ受信器２１と、ＰＶＴ情報格納部３２と、エイジングカウンタ３３と、カード制御部３４とを備えている。
【００３０】
スイッチユニット３０が備えるＳＥＲＤＥＳ送信器１１は、送信ユニット１０が備えるＳＥＲＤＥＳ送信器１１と同様の構成を有している。また、スイッチユニット３０が備えるＳＥＲＤＥＳ受信器２１は、受信ユニット２０が備えるＳＥＲＤＥＳ受信器２１と同様の構成を有している。
【００３１】
ＰＶＴ情報格納部３２は、上述したＰＶＴ情報格納部１２及び２２と同様の構成を有している。具体的には、ＰＶＴ情報格納部３２は、スイッチユニット３０に固有の特性を示すＰＶＴ情報を格納する。
【００３２】
エイジングカウンタ３３は、上述したエイジングカウンタ１３又は２３と同様の構成を有している。具体的には、エイジングカウンタ３３は、スイッチユニット３０の経年劣化の度合いを示すエイジング情報（本実施形態では、カウント値）を生成する。
【００３３】
カード制御部３４は、上述したカード制御部１４又は２４と同様の構成を有している。具体的には、カード制御部３４は、スイッチユニット３０の動作を制御する。カード制御部３４は、バックワイヤリングボード６０（例えば、その内部の制御バス６２）を介して、送信ユニット１０や受信ユニット２０や制御ユニット４０に対して各種制御情報を送信することができる。制御情報として、ＰＶＴ情報格納部３２が格納するＰＶＴ情報や、エイジングカウンタ３３がカウントするエイジング情報や、スイッチユニット３０の実装状態を示す実装情報が一例としてあげられる。
【００３４】
制御ユニット４０は、装置制御部４１と、設定値算出用データベース４２とを備えている。装置制御部４１は、通信装置１の動作を制御する。本実施形態では、装置制御部４１は、ＳＥＲＤＥＳ送信器１１が備えるＦＦＥ１５のイコライザ設定値やＳＥＲＤＥＳ受信器２１が備えるＤＦＥ２５のイコライザ設定値を算出する。設定値算出用データベース４２は、装置制御部４１が行なうイコライザ設定値の算出動作（更には、後述する送信ユニット１０、受信ユニット２０及びスイッチユニット３０のデバイス温度の算出動作）に用いられる各種データベースを格納する。
【００３５】
ここで、図４を参照して、制御ユニット４０の構成についてより詳しく説明する。図４は、本実施形態の通信装置１が備える制御ユニット４０の構成の一例を示すブロック図である。
【００３６】
図４に示すように、制御ユニット４０が備える装置制御部４１は、「取得手段」の一例に相当する情報取得部４１１と、「取得手段」の一例に相当するデバイス温度算出部４１２と、「調整手段」の一例に相当するイコライザ設定値算出部４１３と、「調整手段」の一例に相当するイコライザ設定指示部４１４とを備えている。設定値算出用データベース４２は、デバイス温度算出用データベース４２１と、イコライザ設定値算出用データベース４２２とを備えている。
【００３７】
情報取得部４１１は、送信ユニット１０、受信ユニット２０又はスイッチユニット３０から送信される制御情報（つまり、ＰＶＴ情報や、エイジング情報や、実装情報等）を取得する。
【００３８】
デバイス温度算出部４１２は、情報取得部４１１により取得された制御情報（例えば、ＰＶＴ情報や実装情報）及び温度監視部５０により測定された環境温度に基づいて、送信ユニット１０、受信ユニット２０又はスイッチユニット３０の温度を示すデバイス温度を算出する。デバイス温度は、例えば、送信ユニット１０、受信ユニット２０又はスイッチユニット３０の個々の温度（或いは、個々の動作温度）を示す。
【００３９】
イコライザ設定値算出部４１３は、情報取得部４１１により取得された制御情報（例えば、ＰＶＴ情報やエイジング情報）及びデバイス温度算出部４１２により算出されたデバイス温度に基づいて、送信ユニット１０若しくはスイッチユニット３０が備えるＳＥＲＤＥＳ送信器１１が備えるＦＦＥ１５又は受信ユニット２０若しくはスイッチユニット３０が備えるＳＥＲＤＥＳ受信器２１が備えるＤＦＥ２５のイコライザ設定値を算出する。
【００４０】
イコライザ設定指示部４１４は、イコライザ設定値算出部４１３により算出されたイコライザ設定値にてＦＦＥ１５及びＤＦＥ２５が動作するように、イコライザ設定値を通知し且つ適用させるための制御信号をＦＦＥ１５及びＤＦＥ２５に対して送信する。
【００４１】
デバイス温度算出用データベース４２１は、情報取得部４１１により取得された制御情報（例えば、ＰＶＴ情報や実装情報）及び温度監視部５０により測定された環境温度と、デバイス温度との対応付けを示すデータベースを備える。デバイス温度算出用データ４２１については、後に図面を用いて詳述する（図５参照）。
【００４２】
イコライザ設定値算出用データベース４２２は、情報取得部４１１により取得された制御情報（例えば、ＰＶＴ情報やエイジング情報）及びデバイス温度算出部４１２により算出されたデバイス温度と、イコライザ設定値との対応付けを示すデータベースを備える。イコライザ設定値算出用データ４２２については、後に図面を用いて詳述する（図６参照）。
【００４３】
再び図１において、温度監視部５０は、通信装置１の環境温度を測定する。環境温度は、例えば、通信装置１の筐体７０内の任意の地点の温度ないしは通信装置１の周辺の温度を示す。
【００４４】
（２）通信装置の処理例
図５を参照して、本実施形態の通信装置１の処理の流れについて説明する。ここに、図５は、本実施形態の通信装置１の処理の流れを示すフローチャートである。
【００４５】
図５に示すように、制御ユニット４０が備える情報取得部４１１は、送信ユニット１０、受信ユニット２０又はスイッチユニット３０の実装状態が変化したか否かを判定する（ステップＳ１０１）。例えば、送信ユニット１０、受信ユニット２０又はスイッチユニット３０が筐体７０に対して新たに実装された場合には、新たに実装された送信ユニット１０、受信ユニット２０又はスイッチユニット３０から制御ユニット４０に対して実装情報が送信される。従って、当該実装状態の送信を受けた場合には、情報取得部４１１は、送信ユニット１０、受信ユニット２０又はスイッチユニット３０の実装状態が変化したと判定してもよい。
【００４６】
ステップＳ１０１における判定の結果、送信ユニット１０、受信ユニット２０又はスイッチユニット３０の実装状態が変化していないと判定された場合には（ステップＳ１０１：Ｎｏ）、情報取得部４１１は、ステップＳ１０１の処理を継続する。
【００４７】
ステップＳ１０１における判定の結果、送信ユニット１０、受信ユニット２０又はスイッチユニット３０の実装状態が変化したと判定された場合には（ステップＳ１０１：Ｙｅｓ）、情報取得部４１１は、実装状態が変化した送信ユニット１０、受信ユニット２０又はスイッチユニット３０から、ＰＶＴ情報やエイジング情報や実装情報を取得する（ステップＳ１０２）。更に、情報取得部４１１は、実装状態が変化していない送信ユニット１０、受信ユニット２０又はスイッチユニット３０からも、ＰＶＴ情報やエイジング情報や実装情報を改めて取得してもよい。情報取得部４１１は、取得したＰＶＴ情報やエイジング情報や実装情報を、デバイス温度算出部４１２に対して出力する。
【００４８】
続いて、温度監視部５０は、通信装置１の環境温度を測定する（ステップＳ１０３）。温度監視部５０は、特定のタイミングで環境温度を測定することに加えて又は代えて、常時環境温度を測定していてもよい。温度監視部５０は、測定した環境温度を、デバイス温度算出部４１２に対して出力する。
【００４９】
続いて、デバイス温度算出部４１２は、送信ユニット１０、受信ユニット２０又はスイッチユニット３０のデバイス温度を算出する（ステップＳ１０４）。適切な通信のためには送信側（つまり、ＦＦＥ１５側）及び受信側（つまり、ＤＦＥ２５側）の双方のイコライザ設定値を算出することが好ましいということを考慮して、デバイス温度算出部４１２は、実装状態が変化したユニット（送信ユニット１０、受信ユニット２０若しくはスイッチユニット３０）及び当該実装状態が変化したユニットに対向する他のユニット（送信ユニット１０、受信ユニット２０若しくはスイッチユニット３０）の夫々のデバイス温度を算出してもよい。或いは、デバイス温度算出部４１２は、通信装置１が備える全ての送信ユニット１０、受信ユニット２０及びスイッチユニット３０のうち、イコライザ設定値を変更したいＦＦＥ１５及びＤＦＥ２５を備える少なくとも２つのユニット（送信ユニット１０、受信ユニット２０若しくはスイッチユニット３０）の夫々のデバイス温度を算出してもよい。或いは、デバイス温度算出部４１２は、通信装置１が備える全ての送信ユニット１０、受信ユニット２０及びスイッチユニット３０の夫々のデバイス温度を算出してもよい。デバイス温度算出部４１２は、算出したデバイス温度を、イコライザ設定値算出部４１３に対して出力する。
【００５０】
ここで、図６を参照して、デバイス温度の算出方法についてより詳細に説明する。図６は、デバイス温度の算出方法をデバイス温度算出用データベース４２１と対応付けて示す説明図である。尚、図６は、送信ユニット１０のデバイス温度を算出する例について説明するが、受信ユニット２０及びスイッチユニット３０のデバイス温度を算出する場合にも同様のデバイス温度算出用データベースを用いることができる。
【００５１】
図６に示すように、デバイス温度算出用データベース４２１は、送信ユニット１０のカードタイプ毎に、実装情報が示すスロット位置及びＰＶＴ情報の双方を特定することで一意に定まるデバイス温度算出式を示す。例えば、図６に示す例では、デバイス温度算出用データベース４２１は、「＃１」から「＃Ｍ」にて特定されるスロット位置及び「１」から「Ｎ」にて特定されるＰＶＴ情報の双方を特定することで一意に定まるデバイス温度算出式を示している。より具体的には、図６に示す例では、カードタイプが「Ｔｙｐｅ  Ａｔｘ」であり、実装情報が示すスロット位置が「スロット＃１３」であり且つＰＶＴ情報が「Ｄｔｘ」である場合には、デバイス温度算出式が「Ｆ１３Ｄｔｘ（ｔ）」となる例が示されている。
【００５２】
デバイス温度算出用データベース４２１は、送信ユニット１０のカードタイプ毎に、実装情報が示すスロット位置と、送信ユニット１０の吸気温度に対するカード内の温度上昇値を示すカード内温度情報算出式及び送信ユニット１０が上段スロットに対して与える風量を示す上段への風量係数との対応付けを示す。例えば、図６に示す例では、デバイス温度算出用データベース４２１は、「＃１」から「＃Ｍ」にて特定されるスロット位置に対応するカード内温度情報算出式及び上段スロットへの風量係数を示している。より具体的には、図６に示す例では、カードタイプが「Ｔｙｐｅ  Ｃｔｘ」であり且つ実装情報が示すスロット位置が「スロット＃１」である場合には、カード内温度情報算出式が「Ｆａ１（ｔ）」となり且つ上段スロットへの風量係数が「α１」となる例が示されている。
【００５３】
図６の最上段に示すＰＶＴ情報及び実装情報が取得された場合の、デバイス温度の算出動作について具体的に説明する。実装情報は、(i)カードタイプが「Ｔｙｐｅ  Ａｔｘ」となる送信ユニット１０が、「スロット＃１３」に実装されており、且つ(ii)当該送信ユニット１０の周囲（例えば、スロット＃１３の下段に位置するスロット＃１：図２参照）に、カードタイプが「Ｔｙｐｅ  Ｃｔｘ」となる送信ユニット１０が実装されていることを示している。また、ＰＶＴ情報は、カードタイプが「Ｔｙｐｅ  Ａｔｘ」となる送信ユニット１０のＰＶＴ情報が、「Ｄｔｘ」となることを示している。
【００５４】
デバイス温度算出部４１２は、実装情報が示すカードタイプ「Ｔｙｐｅ  Ａｔｘ」に基づいて、デバイス温度算出用データベース４２１内の「Ｔｙｐｅ  Ａｔｘ」用のテーブルを参照する。更に、デバイス温度算出部４１２は、実装情報が示す「スロット＃１３」及びＰＶＴ情報が示す「Ｄｔｘ」に基づいて、「Ｔｙｐｅ  Ａｔｘ」用のテーブルから、実装情報が示す「スロット＃１３」とＰＶＴ情報が示す「Ｄｔｘ」とに対応付けられたデバイス温度算出式「Ｆ１３Ｄｔｘ（ｔ）」を取得する。
【００５５】
また、デバイス温度算出部４１２は、実装情報が示す周囲カードタイプ「Ｔｙｐｅ  Ｃｔｘ（スロット＃１）」に基づいて、デバイス温度算出用データベース４２１内の「Ｔｙｐｅ  Ｃｔｘ」用のテーブルから、実装情報が示す「スロット＃１」に対応付けられたカード内温度情報算出式「Ｆａ１（ｔ）」及び上段への風量係数「α１」を取得する。
【００５６】
また、デバイス温度算出部４１２は、温度監視部５０により測定された環境温度「Ｔ」を更に取得する。
【００５７】
その後、デバイス温度算出部４１２は、デバイス温度算出式「Ｆ１３Ｄｔｘ（ｔ）」に対して、カード内温度情報算出式「Ｆａ１（ｔ）」及び上段への風量係数「α１」ならびに環境温度「Ｔ」を変数として代入することで得られる数値を、デバイス温度として算出する。具体的には、デバイス温度算出部４１２は、Ｆ１３Ｄｔｘ（α１×（Ｔ＋Ｆａ１（Ｔ））という数式を演算することで得られる数値を、カードタイプが「Ｔｙｐｅ  Ａｔｘ」となる送信ユニット１０のデバイス温度として算出する。
【００５８】
再び図５において、イコライザ設定値算出部４１３は、送信ユニット１０、受信ユニット２０又はスイッチユニット３０が備えるＦＦＥ１５又はＤＦＥ２５のイコライザ設定値を算出する（ステップＳ１０５）。適切な通信のためのは送信側（つまり、ＦＦＥ１５側）及び受信側（つまり、ＤＦＥ２５側）の双方のイコライザ設定値を算出することが好ましいということを考慮して、イコライザ設定値算出部４１３は、実装状態が変化したユニット（送信ユニット１０、受信ユニット２０若しくはスイッチユニット３０）及び当該実装状態が変化したユニットに対向する他のユニット（送信ユニット１０、受信ユニット２０若しくはスイッチユニット３０）が備えるＦＦＥ１５及びＤＦＥ２５の夫々のイコライザ設定値を算出してもよい。或いは、イコライザ設定値算出部４１３は、通信装置１が備える全ての送信ユニット１０、受信ユニット２０及びスイッチユニット３０が備えるＦＦＥ１５及びＤＦＥ２５のうち、イコライザ設定値を変更したい一対のＦＦＥ１５及びＤＦＥ２５の夫々のイコライザ設定値を算出してもよい。イコライザ設定値算出部４１３は、算出したイコライザ設定値を、イコライザ設定指示部４１４に対して出力する。
【００５９】
ここで、図７を参照して、イコライザ設定値の算出方法についてより詳細に説明する。図７は、イコライザ設定値の算出方法をイコライザ設定値算出用データベース４２２と対応付けて示す説明図である。尚、図７は、送信ユニット１０に対応するイコライザ設定値算出用データベース４２２について説明するが、受信ユニット２０及びスイッチユニット３０に対しても同様のイコライザ設定値算出用データベース４２２を用いることができる。
【００６０】
図７に示すように、イコライザ設定値算出用データベース４２２は、送信ユニット１０のカードタイプ（つまり、ＳＥＲＤＥＳ送信器１１の種類）毎に、ＰＶＴ情報及びエイジング情報の双方を特定することで一意に定まるＴｘ条件を示す。例えば、図７に示す例では、イコライザ設定値算出用データベース４２２は、「１」から「Ｍ」にて特定されるＰＶＴ情報及び「１」から「Ｎ」にて特定されるエイジング情報の双方を特定することで一意に定まるＴｘ条件を示している。より具体的には、図７に示す例では、ＰＶＴ情報が「Ｄｔｘ」であり且つエイジング情報が「Ｅｔｘ」である場合には、Ｔｘ条件Ｚ−Ｚが特定される例を示している。
【００６１】
加えて、図７に示すように、イコライザ設定値算出用データベース４２２は、送信ユニット１０のカードタイプ（つまり、ＳＥＲＤＥＳ送信器１１の種類）毎に、Ｔｘ条件及びデバイス温度の双方を特定することで定まると共に夫々が所定のイコライザ設定値（イコライザ条件）に対応付けられた複数の送信側出力特性を示す。例えば、図７に示す例では、イコライザ設定値算出用データベース４２２は、「Ｔｘ条件１」から「Ｔｘ条件Ｍ」にて特定されるＴｘ条件及び「Ｔｔｘ」から「ＴＮ」にて特定されるデバイス温度の双方を特定することで定まると共に夫々が所定のイコライザ設定値「１」から「Ｎ」に対応付けられた複数の送信側出力特性を示している。より具体的には、図７に示す例では、Ｔｘ条件が「Ｚ−Ｚ」であり且つデバイス温度が「Ｔｔｘ」である場合には、イコライザ設定値「１」から「Ｎ」に対応付けられた「送信側出力特性Ｔｔｘ−１」から「送信側出力特性Ｔｔｘ−Ｎ」が特定される例を示している。
【００６２】
図７の最上段に示すＰＶＴ情報、実装情報、エイジング情報及びデバイス温度が取得された場合の、イコライザ設定値の算出動作について具体的に説明する。実装情報は、カードタイプが「Ｔｙｐｅ  Ａｔｘ」となる送信ユニット１０（言い換えれば、種類が「Ｔｙｐｅ  Ａ」となるＳＥＲＤＥＳ送信器１１）が実装されていることを示している。ＰＶＴ情報は、送信ユニット１０のＰＶＴ情報が、「Ｄｔｘ」となることを示している。エイジング情報は、送信ユニット１０のエイジング情報が、「「Ｅｔｘ」となることを示している。デバイス温度は、送信ユニット１０のデバイス温度が、「Ｔｔｘ」となることを示している。
【００６３】
イコライザ設定値算出部４１３は、実装情報が示すカードタイプ「Ｔｙｐｅ  Ａｔｘ」に基づいて、イコライザ設定値算出用データベース４２２内の「Ｔｙｐｅ  Ａｔｘ」用のテーブル（言い換えれば、「ＳＥＲＤＥＳ  Ｔｙｐｅ  Ａ」用のテーブル）を参照する。イコライザ設定値算出部４１３は、ＰＶＴ情報が示す「Ｄｔｘ」及びエイジング情報が示す「Ｅｔｘ」に基づいて、「Ｔｙｐｅ  Ａ」用のテーブルから、ＰＶＴ情報が示す「Ｄｔｘ」とエイジング情報が示す「Ｅｔｘ」とに対応付けられた「Ｔｘ条件Ｚ−Ｚ」を取得する。
【００６４】
続いて、イコライザ設定値算出部４１３は、取得されたＴｘ条件が示す「Ｔｘ条件Ｚ−Ｚ」及びデバイス温度が示す「Ｔｔｘ」に基づいて、「Ｔｙｐｅ  Ａ」用のテーブルから、Ｔｘ条件が示す「Ｔｘ条件Ｚ−Ｚ」とデバイス温度が示す「Ｔｔｘ」と対応付けられると共に、ＦＦＥ１５のイコライザ設定値「１」から「Ｎ」に対応付けられた「送信側出力特性Ｔｔｘ−１」から「送信側出力特性Ｔｔｘ−Ｎ」を取得する。
【００６５】
同様の手法を用いて、受信ユニット２０に対応する受信側出力特性もまた取得される。以下、「送信側出力特性Ｔｔｘ−１」から「送信側出力特性Ｔｔｘ−Ｎ」が取得された送信ユニット１０に対向する受信ユニット２０に対応する出力特性として、ＤＦＥ２５のイコライザ設定値「１」から「Ｎ」に対応付けられた「受信側出力特性Ｒｔｘ−１」から「受信側出力特性Ｒｔｘ−Ｎ」が取得されたものとして説明を進める。
【００６６】
イコライザ設定値算出部４１３は、バックワイヤリングボード６０における伝送路特性を示すＳパラメータ（つまり、Ｓ（ｘ））を用いて、「Ｓ（送信側出力特性）≧受信側出力特性」という条件式を満たすイコライザ設定値の組み合わせを算出する。伝送路特性を示すＳパラメータは、情報取得部４１１によって予め取得されていてもよいし、実際にイコライザ設定値を算出する時点で取得されてもよい。これにより、イコライザ設定値算出部４１３は、ＦＦＥ１５のイコライザ設定値及びＤＦＥ２５のイコライザ設定値の双方を算出することができる。
【００６７】
再び図５において、イコライザ設定指示部４１４は、ステップＳ１０５において算出されたイコライザ設定値にてＦＦＥ１５及びＤＦＥ２５が動作するように、イコライザ設定値を指示するための制御信号を、当該制御信号の対象となるＦＦＥ１５及びＤＦＥ２５に対して送信する（ステップＳ１０６）。その結果、ＦＦＥ１５及びＤＦＥ２５は、新たなイコライザ設定値に応じた波形整形特性を実現しながら動作する。つまり、ＦＦＥ１５及びＤＦＥ２５は、イコライザ設定値の変更を適用した上で動作する。尚、ステップS１０５において新たに算出されたイコライザ設定値と、現在のＦＦＥ１５又はＤＦＥ２５のイコライザ設定値とが同一となる場合には、イコライザ設定指示部４１４は、新たに算出されたイコライザ設定値を指示するための制御信号をＦＦＥ１５及びＤＦＥ２５に対して送信しなくともよい。
【００６８】
以上説明したように、本実施形態の通信装置１によれば、制御ユニット４０は、送信ユニット１０、受信ユニット２０若しくはスイッチユニット３０から取得する実装情報、ＰＶＴ情報及びエイジング情報、並びに温度監視部５０から取得する環境温度に基づいて、ＦＦＥ１５及びＤＦＥ２５のイコライザ設定値を算出することができる。従って、制御ユニット４０は、通信装置１の使用環境の変化（例えば、送信ユニット１０、受信ユニット２０若しくはスイッチユニット３０の実装状態の変化や、デバイス温度の変化や、これらの変化に影響を与え得るＰＶＴ情報等）に応じてＦＦＥ１５及びＤＦＥ２５における波形整形特性を適切に調整することができる。
【００６９】
本実施形態の通信装置１によれば、制御ユニット４０は、通信装置１内を伝送する各種信号を実際にモニタリングしなくとも、ＦＦＥ１５及びＤＦＥ２５における波形整形特性を適切に調整することができる。従って、制御ユニット４０は、処理負荷を大幅に増大させることなく、ＦＦＥ１５及びＤＦＥ２５における波形整形特性を適切に調整することができる。
【００７０】
本実施形態の通信装置１によれば、制御ユニット４０は、送信ユニット１０、受信ユニット２０若しくはスイッチユニット３０から取得する実装情報及びＰＶＴ情報、並びに温度監視部５０から取得する環境温度に基づいて、送信ユニット１０、受信ユニット２０若しくはスイッチユニット３０のデバイス温度を算出することができる。従って、制御ユニットは、通信装置１が備える全ての送信ユニット１０、受信ユニット２０及びスイッチユニット３０のデバイス温度を直接的に監視しなくとも、送信ユニット１０、受信ユニット２０及びスイッチユニット３０の実装状態や特性等を考慮して、送信ユニット１０、受信ユニット２０及びスイッチユニット３０のデバイス温度を適切に算出することができる。
【００７１】
本実施形態の通信装置１によれば、制御ユニット４０は、通信装置１の環境温度に対して、送信ユニット１０、受信ユニット２０及びスイッチユニット３０の実装状態や特性等に起因した温度変動分を加算する又は減算することで、送信ユニット１０、受信ユニット２０及びスイッチユニット３０のデバイス温度を算出できる。従って、制御ユニット４０は、送信ユニット１０、受信ユニット２０及びスイッチユニット３０のデバイス温度を適切に算出することができる。
【００７２】
本実施形態の通信装置１によれば、制御ユニット４０は、送信ユニット１０、受信ユニット２０及びスイッチユニット３０の経年劣化の度合い（つまり、エイジング情報）も考慮してイコライザ設定値を算出することができる。このため、制御ユニット４０は、より適切なイコライザ設定値を算出することができる。
【００７３】
本実施形態の通信装置１によれば、制御ユニット４０は、バックワイヤリングボード６０の伝送路特性（例えば、Ｓパラメータ等）も考慮してイコライザ設定値を算出することができる。このため、制御ユニット４０は、より適切なイコライザ設定値を算出することができる。
【００７４】
本実施形態の通信装置１によれば、ＰＶＴ情報が送信ユニット１０、受信ユニット２０及びスイッチユニット３０内に予め格納されている。このため、制御ユニット４０は、送信ユニット１０、受信ユニット２０及びスイッチユニット３０のＰＶＴ情報を確実に取得することができる。
【００７５】
本実施形態の通信装置１によれば、設定値算出用データベース４２を用いてデバイス温度やイコライザ設定値を算出することができる。このため、設定値算出用データベース４２を容易に改変しやすいことを考慮すれば、設計ないしは仕様が異なる複数種類の通信装置１に対して本実施形態の構成を容易に適用することができる。
【００７６】
（３）変形例
図８から図１０を参照して、本実施形態の通信装置１の変形例について説明する。
【００７７】
（３−１）第１変形例
図８を参照して、本実施形態の通信装置１の第１変形例について説明する。図８は、第１変形例の通信装置２の構成の一部を示すブロック図である。図８では、説明の簡略化ないしは明確化のため、１対の送信ユニット１０及び受信ユニット２０の組に着目して説明を進める。
【００７８】
図８に示すように、第１変形例の通信装置２は、上述した通信装置１と比較して、カード制御部１４及び２４が、イコライザ設定値の変更を適用するタイミングを互いに同期させるという点で異なっている。具体的には、第１変形例の通信装置２では、送信ユニット１０が備えるカード制御部１４及び当該送信ユニット１０に対向する受信ユニット２０が備えるカード制御部２４のいずれか一方がマスタとなって、イコライザ設定値の変更タイミングを同期させる。第２変形例では、送信ユニット１０が備えるカード制御部１４がマスタとなる例について説明をする。
【００７９】
カード制御部１４は、イコライザ設定値を指示するための制御信号をイコライザ設定指示部４１４から受信した場合には、カード制御部２４に対して、イコライザ設定値の変更を要求する「イコライザ制御要求（ＲＥＱ）」メッセージを送信する。
【００８０】
カード制御部２４は、イコライザ設定値を指示するための制御信号をイコライザ設定指示部４１４から受信し且つ「イコライザ制御要求（ＲＥＱ）」メッセージをカード制御部１４から受信した場合には、カード制御部１４に対して、イコライザ設定値の変更の要求を受領したことを示す「イコライザ制御確認（ＡＣＫ）」メッセージを返送する。
【００８１】
カード制御部１４は、「イコライザ制御確認（ＡＣＫ）」メッセージをカード制御部２４から受信した場合には、カード制御部２４に対して、イコライザ設定値を変更する基準タイミングを示す「基準タイミング通知」メッセージを送信する。
【００８２】
カード制御部２４は、「基準タイミング通知」メッセージをカード制御部１４から受信した場合には、カード制御部１４に対して、基準タイミングを受領したことを示す「基準タイミング確認」メッセージを返送する。
【００８３】
その後、送信ユニット１０及び当該送信ユニット１０に対向する受信ユニット２０の双方において、基準タイミングが示すタイミングで、イコライザ設定値の変更が適用される。
【００８４】
第１変形例の通信装置２によれば、上述した通信装置１が享受する各種効果と同様の効果を享受することができる。第１変形例の通信装置２によれば、送信ユニット１０が備えるＦＦＥ１５におけるイコライザ設定値の変更の適用タイミングと、当該送信ユニット１０に対向する受信ユニット２０が備えるＤＦＥ２５におけるイコライザ設定値の変更の適用タイミングとを揃えることができる。従って、ＦＦＥ１５におけるイコライザ設定値の変更の適用タイミングとＤＦＥ２５におけるイコライザ設定値の変更の適用タイミングとがずれることに起因する伝送特性の悪化を好適に防止することができる。
【００８５】
（３−２）第２変形例
図９を参照して、本実施形態の通信装置１の第２変形例について説明する。図９は、第２変形例の通信装置３の構成の一部を示すブロック図である。図９では、説明の簡略化ないしは明確化のため、１対の送信ユニット１０及び受信ユニット２０の組に着目して説明を進める。
【００８６】
図９に示すように、第２変形例の通信装置３は、上述した通信装置１と比較して、イコライザ設定値の変更を適用するタイミングを示す基準タイミングを生成すると共に、当該生成した基準タイミングをカード制御部１４及び２４へ通知する基準タイミング生成部４１５を装置制御部４１が更に備えるという点で異なっている。また、第２変形例の通信装置３は、上述した通信装置１と比較して、カード制御部１４及び２４が、基準タイミング生成部４１５から通知された基準タイミングに同期してイコライザ設定値の変更を適用するという点で異なっている。
【００８７】
第２変形例の通信装置３によれば、上述した通信装置１が享受する各種効果と同様の効果を享受することができる。第２変形例の通信装置３によれば、送信ユニット１０が備えるＦＦＥ１５におけるイコライザ設定値の変更の適用タイミングと、当該送信ユニット１０に対向する受信ユニット２０が備えるＤＦＥ２５におけるイコライザ設定値の変更の適用タイミングとを揃えることができる。従って、ＦＦＥ１５におけるイコライザ設定値の変更の適用タイミングとＤＦＥ２５におけるイコライザ設定値の変更の適用タイミングとがずれることに起因する伝送特性の悪化を好適に防止することができる。
【００８８】
（３−３）第３変形例
図１０を参照して、本実施形態の通信装置１の第３変形例について説明する。図１０は、第３変形例の通信装置４の構成の一部を示すブロック図である。
【００８９】
図１０に示すように、第３変形例の通信装置４は、上述した通信装置１と比較して、(i)送信ユニット１０が、ＰＶＴ情報格納部１２及びエイジングカウンタ１３に代えて、ＰＶＴ情報測定部１６及び測定基準クロック供給部１７を備えており、(ii)受信ユニット２０が、ＰＶＴ情報格納部２２及びエイジングカウンタ２３に代えて、ＰＶＴ情報測定部２６及び測定基準クロック供給部２７を備えており、(iii)スイッチユニット３０が、ＰＶＴ情報格納部３２及びエイジングカウンタ３３に代えて、ＰＶＴ情報測定部３６及び測定基準クロック供給部３７を備えており、且つ(iv)通信装置４が温度監視部５０を備えていないという点で異なっている。
【００９０】
測定基準クロック供給部１７は、所定周期のクロック信号をＰＶＴ情報測定部１６に対して出力する。より具体的には、ＰＶＴ情報測定部１６は、測定基準クロック供給部１７から供給されるクロック信号を用いて、送信ユニット１０内の不図示の信号回路に入力した信号が出力されるまでの時間（伝搬遅延時間）を定期的に測定する。その結果、ＰＶＴ情報測定部１６は、送信ユニット１０に固有の特性を測定することができると共に、当該測定した固有の情報を示すＰＶＴ情報を生成することができる。ＰＶＴ情報生成部１６は、生成したＰＶＴ情報を、制御ユニット４０に対して送信する。尚、ＰＶＴ情報測定部２６及び測定基準クロック供給部２７、並びにＰＶＴ情報測定部３６及び測定基準クロック供給部３７においても同様の処理が行われる。
【００９１】
制御ユニット４０は、ＰＶＴ情報測定部１６、２６及び３６から取得するＰＶＴ情報に基づいて、送信ユニット１０、受信ユニット２０又はスイッチユニット３０が備えるＦＦＥ１５又はＤＦＥ２５のイコライザ設定値を算出する。このため、第３変形例では、イコライザ設定値算出用データベース４２２は、ＰＶＴ情報とイコライザ設定値との対応付けを示すテーブルを備えていることが好ましい。
【００９２】
第３変形例の通信装置４によれば、上述した通信装置１が享受する各種効果と同様の効果を享受することができる。第３変形例の通信装置４によれば、送信ユニット１０、受信ユニット２０及びスイッチユニット３０がＰＶＴ情報を生成することができる。送信ユニット１０、受信ユニット２０及びスイッチユニット３０内の伝搬遅延は、送信ユニット１０、受信ユニット２０及びスイッチユニット３０使用環境（例えば、温度や経年劣化状態や印加されている電源電圧等）によって変化することを考慮すれば、生成されたＰＶＴ情報は使用環境の変化を考慮したＰＶＴ情報となっている。このため、制御ユニット４０は、送信ユニット１０、受信ユニット２０又はスイッチユニット３０のデバイス温度の算出（言い換えれば、通信装置１の環境温度の測定を伴うデバイス温度の算出）やエイジング情報の取得を行わなくとも、ＦＦＥ１５又はＤＦＥ２５のイコライザ設定値を算出することができる。
【００９３】
以上説明した実施形態に関して、更に以下の付記を開示する。
【００９４】
（付記１）
筐体内に実装された信号処理部であって且つ入力された信号に対する波形整形処理を行う波形整形部を備える信号処理部を制御する制御装置であって、(i)前記筐体内における前記信号処理部の実装状態を示す実装情報、(ii)前記信号処理部の温度である処理部温度を示す温度情報、及び(iii)前記信号処理部に固有の特性を示す処理部特性情報の少なくとも一つを取得する取得手段と、前記取得手段により取得された前記実装情報、前記温度情報及び前記処理部特性情報の少なくとも一つに基づいて、前記波形整形部における波形整形特性を調整する調整手段とを備えることを特徴とする制御装置。
【００９５】
（付記２）
前記取得手段は、(i)前記実装情報及び前記処理部特性情報を取得すると共に、(ii)取得した前記実装情報及び前記処理部特性情報に基づいて前記処理部温度を算出することで前記温度情報を取得し、前記調整手段は、前記温度情報及び前記処理部特性情報に基づいて前記波形整形特性を調整することを特徴とする付記１に記載の制御装置。
【００９６】
（付記３）
前記筐体周辺又は前記筐体内部の環境温度を測定する測定手段を更に備え、前記取得手段は、前記環境温度に対して前記実装情報及び前記処理部特性情報に応じた温度変動分を加味することで前記処理部温度を算出することを特徴とする付記２に記載の制御装置。
【００９７】
（付記４）
前記取得手段は、前記信号処理部の経年劣化の度合いを示す経年情報を更に取得し、前記調整手段は、前記実装情報、前記温度情報、前記処理部特性情報、及び前記経年情報の少なくとも一つに基づいて、前記波形整形特性を調整することを特徴とする付記１に記載の制御装置。
【００９８】
（付記５）
前記筐体は、前記信号処理部から信号が供給される伝送路を内部に備えており、前記取得手段は、前記伝送路に固有の特性を示す伝送路特性情報を更に取得し、前記調整手段は、前記実装情報、前記温度情報、前記処理部特性情報、及び前記伝送路情報の少なくとも一つに基づいて、前記波形整形特性を調整することを特徴とする付記１に記載の制御装置。
【００９９】
（付記６）
前記処理部特性情報は、前記信号処理部内部に予め格納されており、前記取得手段は、予め格納された前記処理部特性情報を取得することを特徴とする付記１に記載の制御装置。
【０１００】
（付記７）
前記信号処理部は、当該信号処理部自身の特性を測定する測定部を更に備えており、
前記取得手段は、前記測定部により測定された特性を取得することで、前記処理部特性情報を取得し、前記調整手段は、前記処理部特性情報に基づいて、前記波形整形特性を調整することを特徴とする付記１に記載の制御装置。
【０１０１】
（付記８）
前記筐体内には、少なくとも２つの前記信号処理部が実装されており、前記少なくとも２つの信号処理部の一方は、前記少なくとも２つの信号処理部の他方に対して前記信号を送信し、前記調整手段は、前記波形整形特性を調整するための調整情報を前記信号処理部に対して出力することで前記波形整形特性を調整し、前記少なくとも２つの信号処理部は、互いに同期するタイミングで、前記調整情報を前記波形整形部に対して適用することを特徴とする付記１に記載の制御装置。
【０１０２】
（付記９）
前記筐体内には、少なくとも２つの前記信号処理部が実装されており、前記少なくとも２つの信号処理部の一方は、前記少なくとも２つの信号処理部の他方に対して前記信号を送信し、前記調整手段は、前記波形整形特性を設定するための調整情報を前記信号処理部に対して出力することで前記波形整形特性を調整し、前記調整手段は、前記調整情報を前記波形整形部に対して適用するタイミングを示すタイミング情報を前記少なくとも２つの信号処理部に出力し、前記少なくとも２つの信号処理部は、前記タイミング情報が示すタイミングで、前記調整情報を前記波形整形部に対して適用することを特徴とする付記１に記載の制御装置。
【０１０３】
（付記１０）
前記実装情報が示す前記実装状態及び前記処理部特性情報が示す前記信号処理部に固有の特性と前記処理部温度との対応関係を示す温度対応情報を格納する格納手段を更に備え、
前記取得手段は、前記実装情報及び前記処理部特性情報、並びに前記温度対応情報に基づいて前記処理部温度を算出することを特徴とする付記２に記載の制御装置。
【０１０４】
（付記１１）
前記処理部温度及び前記処理部特性情報が示す前記信号処理部に固有の特性と前記波形整形特性の調整態様とを対応付ける波形整形対応情報を格納する格納手段を更に備え、前記調整手段は、前記温度情報及び前記処理部特性情報、並びに前記波形整形対応情報に基づいて前記波形整形特性を調整することを特徴とする付記２に記載の制御装置。
【０１０５】
（付記１２）
前記信号処理部は、前記筐体に対して任意に着脱可能であり、前記取得手段は、前記信号処理部が前記筐体に装着されることを契機として、前記実装情報、前記温度情報、及び前記処理部特性情報の少なくとも一つを取得し、前記調整手段は、前記信号処理部が前記筐体に装着されることを契機として、前記実装情報、前記温度情報及び前記処理部特性情報の少なくとも一つに基づいて、前記波形整形部における波形整形特性を調整することを特徴とする付記１に記載の制御装置。
【０１０６】
（付記１３）
前記筐体は、伝送路としてのバックワイヤリングボードを含む筐体であることを特徴とする付記１に記載の制御装置。
【０１０７】
（付記１４）
筐体内に実装された信号処理部であって且つ入力された信号に対する波形整形処理を行う波形整形部を備える信号処理部を制御する制御方法であって、(i)前記筐体内における前記信号処理部の実装状態を示す実装情報、(ii)前記信号処理部の温度である処理部温度を示す温度情報、及び(iii)前記信号処理部に固有の特性を示す処理部特性情報の少なくとも一つを取得する取得工程と、前記取得工程において取得された前記実装情報、前記温度情報及び前記処理部特性情報の少なくとも一つに基づいて、前記波形整形部における波形整形特性を調整する調整工程とを備えることを特徴とする制御方法。
【０１０８】
（付記１５）
筐体と、前記筐体内に実装された信号処理部であって且つ入力された信号に対する波形整形処理を行う波形整形部を備える信号処理部と、(i)前記筐体内における前記信号処理部の実装状態を示す実装情報、(ii)前記信号処理部の温度である処理部温度を示す温度情報、及び(iii)前記信号処理部に固有の特性を示す処理部特性情報の少なくとも一つを取得する取得手段、並びに前記取得手段により取得された前記実装情報、前記温度情報及び前記処理部特性情報の少なくとも一つに基づいて、前記波形整形部における波形整形特性を調整する調整手段を備える制御装置とを備えることを特徴とする信号処理装置。
【０１０９】
（付記１６）
前記信号処理部は、前記信号の送受信を行う信号送受信部であり、当該信号処理装置は、前記筐体内に備えられる伝送路を介して前記信号処理部間での前記信号の通信を行う通信装置であることを特徴とする付記１５に記載の信号処理装置。
【符号の説明】
【０１１０】
１、２、３、４  通信
１０  送信側プラグインカードユニット
１１  ＳＥＲＤＥＳ送信器
１２  ＰＶＴ情報格納部
１３  エイジングカウンタ
１４  カード制御部
１５  ＦＦＥ
１６  ＰＶＴ情報測定部
２０  受信側プラグインカードユニット
２１  ＳＥＲＤＥＳ受信器
２２  ＰＶＴ情報格納部
２３  エイジングカウンタ
２４  カード制御部
２５  ＤＦＥ
２６  ＰＶＴ情報測定部
３０  スイッチユニット
３２  ＰＶＴ情報格納部
３３  エイジングカウンタ
３４  カード制御部
３６  ＰＶＴ情報測定部
４０  装置制御カードユニット
４１  装置制御部
４１１  情報取得部
４１２  デバイス温度算出部
４１３  イコライザ設定地算出部
４１４  イコライザ設定指示部
４２  設定値算出用データベース
４２１  デバイス温度算出用データベース
４２２  イコライザ設定値算出用データベース
【図１】
0005565049.tif 000002
【図２】
0005565049.tif 000003
【図３】
0005565049.tif 000004
【図４】
0005565049.tif 000005
【図５】
0005565049.tif 000006
【図６】
0005565049.tif 000007
【図７】
0005565049.tif 000008
【図８】
0005565049.tif 000009
【図９】
0005565049.tif 000010
【図１０】
0005565049.tif 000011